(57)【要約】【課題】被設定装置における起動時の設定を容易化し得る設定システム等の提供。【解決手段】設定システムは、被設定装置に対し、被設定装置が最初の起動の際に利用する情報である設定情報を無線により送付する設定装置と、前記最初の起動の前に、前記設定装置から受信した前記設定情報を格納し、前記設定情報により前記最初の起動の際に所定の設定処理を行う前記被設定装置と、を備える。【選択図】      図１
2019133590.tif 000002
【特許請求の範囲】
【請求項１】
被設定装置に対し、被設定装置が最初の起動の際に利用する情報である設定情報を無線により送付する設定装置と、
前記最初の起動の前に、前記設定装置から受信した前記設定情報を格納し、前記設定情報により前記最初の起動の際に所定の設定処理を行う前記被設定装置と、
を備える、設定システム。
【請求項２】
前記格納が、梱包部材により梱包されている前記被設定装置の本体部に行われる、請求項１に記載された設定システム。
【請求項３】
前記設定装置が、前記送付のための打診情報を無線送信し、
前記被設定装置は、前記打診情報を受けて、前記送付を前記設定装置に要請する、請求項１又は請求項２に記載された設定システム。
【請求項４】
前記被設定装置は、前記打診情報に、所定の確認情報が含まれる場合に、前記要請を行う、請求項３に記載された設定システム。
【請求項５】
前記確認情報が、前記被設定装置に係る機種を特定する機種識別子及び前記被設定装置に係る構成情報を含む、請求項４に記載された設定システム。
【請求項６】
前記被設定装置は、前記格納を行った場合に、前記設定情報を前記設定装置に送る、請求項１乃至請求項５のうちのいずれか一に記載された設定システム。
【請求項７】
前記設定装置は、前記設定情報により、前記格納が完了した旨を記憶する、請求項６に記載された設定システム。
【請求項８】
前記設定情報は、Ｂａｓｉｃ  Ｉｎｐｕｔ  Ｏｕｔｐｕｔ  Ｓｙｓｔｅｍに
、Ｂａｓｅｂｏａｒｄ  Ｍａｎａｇｅｍｅｎｔ  Ｃｏｎｔｒｏｌｌｅｒ、Ｏｐｅｒａｔｉｎｇ  Ｓｙｓｔｅｍ及びアプリケーションソフトウェアのうちのいずれかに係るものを含む、請求項１乃至請求項７のうちのいずれか一に記載された設定システム。
【請求項９】
最初の起動の際に利用する情報であり、前記最初の起動の前に無線により受信した設定情報を格納し、
前記設定情報により前記最初の起動の際に所定の設定処理を行う被設定装置。
【請求項１０】
最初の起動の前に無線により受信した設定情報により前記最初の起動の際に所定の設定処理を行う被設定装置に対し、前記設定情報を前記無線により送付する設定装置。
【発明の詳細な説明】
【技術分野】
【０００１】
本発明は、コンピュータ等が起動時に行う設定に関する。
【背景技術】
【０００２】
コンピュータ等を出荷する際に、ユーザが希望する個別設定情報をコンピュータに設定して出荷する場合がある。前記設定は、例えば、コンピュータ名やＩＰアドレスなどのネットワーク設定、管理ネットワークの設定、ＢＩＯＳ設定変更、ソフトウェアライセンス登録、接続プリンタ設定、端末無線設定などである。ここで、ＩＰはＩｎｔｅｒｎｅｔ  Ｐｒｏｔｏｃｏｌの略である。また、ＢＩＯＳは、Ｂａｓｉｃ  Ｉｎｐｕｔ  Ｏｕｔｐｕｔ  Ｓｙｓｔｅｍの略である。
【０００３】
ユーザが希望する個別設定情報が梱包前に取得できる場合は、自動設定ツール等により、梱包前に個別設定情報まで設定を行うことが可能である。
【０００４】
ここで、特許文献１は、多数の計算機で構成される大規模分散コンピューティングシステムの環境定義情報を管理する環境定義情報管理システムを開示する。
【０００５】
また、特許文献２は、端末装置と搭載されるべきソフトウェアとの関係が記述されたシステム構成定義ファイルの内容に基づいて、搭載されるべきソフトウェアをインストールし、システム構成ファイルを端末装置に送信するサーバ装置を開示する。
【先行技術文献】
【特許文献】
【０００６】
【特許文献１】特開２００４−０４６４４５号公報
【特許文献２】特開２００２−１５７１２４号公報
【発明の概要】
【発明が解決しようとする課題】
【０００７】
しかしながら、梱包後のコンピュータについてのユーザからの注文時に個別設定情報を入手する場合は、開梱して設定作業を行い、その後に再度梱包する必要がある。そのような作業は、定期的継続的に行われる場合があり、その都度、電源供給設備及び入出力装置の準備と設定作業が必要となる。
【０００８】
また、例えば、ディスカウントストアやコンビニエンスストアなどの小売店、外食産業などの、多数店舗を有し、毎月開店及び閉店があるような業態では、設置店舗での作業時間を減らす目的で設置店舗以外の作業場所が確保される。そして、設置店舗ごと個別の設定情報を事前に設定して設置店舗へ送付する場合が多い。そのため、コンピュータを開梱し設定する作業が定期的継続的に必要となる。また、そのための開梱及び設定を行うためのスペースや、電源及び入出力装置の手配が必要になる。
【０００９】
本発明は、被設定装置における起動時の設定を容易化し得る設定システム等の提供を目的とする。
【課題を解決するための手段】
【００１０】
本発明の設定システムは、被設定装置に対し、被設定装置が最初の起動の際に利用する情報である設定情報を無線により送付する設定装置と、前記最初の起動の前に、前記設定装置から受信した前記設定情報を格納し、前記設定情報により前記最初の起動の際に所定の設定処理を行う前記被設定装置と、を備える。
【発明の効果】
【００１１】
本発明の設定システム等は、被設定装置における起動時の設定を容易化し得る。
【図面の簡単な説明】
【００１２】
【図１】本実施形態の設定システムの構成例を表す概念図である。
【図２】被設定装置の構成例を表す概念図である。
【図３】設定装置の構成例を表す概念図である。
【図４】組合せ情報群の構成例を表す概念図である。
【図５】設定情報の構成例を表す概念図である。
【図６】被設定装置の設定部が備える処理部が行う処理の処理フロー例を表す概念図である。
【図７】設定装置の処理部が行う処理の処理フロー例を表す概念図である。
【図８】被設定装置の設定部が備える設定情報反映部が行う処理の処理フロー例を表す概念図である。
【図９】実施形態の最小限の設定システムの構成を表すブロック図である。
【発明を実施するための形態】
【００１３】
［構成と動作］
図１は、本実施形態の設定システムの例である設定システム５００の構成を表す概念図である。
【００１４】
設定システム５００は、ｐ台の被設定装置である被設定装置２００１乃至２００ｐと、設定装置１００とを備える。
【００１５】
被設定装置２００１乃至２００ｐの各々（各被設定装置）は、図示しない本体部が梱包用部材で梱包された状態のものである。当該本体部は、コンピュータを備える装置である。また、前記梱包は、例えば、前記本体部の出荷時に行われるものである。
【００１６】
前記本体部は、利用者等により開梱され、最初に起動される際に種々の設定が行われる。当該設定は、例えば、背景技術の項で説明した、コンピュータ名やＩＰアドレスなどのネットワーク設定、管理ネットワークの設定、ＢＩＯＳ設定変更、ソフトウェアライセンス登録、接続プリンタ設定、無線設定などである。
【００１７】
設定装置１００は、被設定装置２００１乃至２００ｐの各々に対し、開梱しない状態で、前記設定に係る設定情報を無線により送付する。当該設定情報には、例えば、コンピュータ名、ＩＰアドレス、管理ネットワークの構成、ＢＩＯＳの設定情報、ライセンスの証明情報、プリンタドライバの識別情報、無線設定に関する情報などが含まれる。
【００１８】
各被設定装置は、設定装置１００から送付された前記設定情報を、梱包された状態で受信し、記憶する。そして、各被設定装置は、利用者等に届けられ、開梱され、利用者等により最初に起動させられる際に、梱包された状態で格納した前記設定情報に基づき、前記設定を行う。
【００１９】
図２は、図１に表す被設定装置２００１乃至２００ｐの各々の例である被設定装置２００の構成を表す概念図である。
【００２０】
被設定装置２００は、梱包部材８０１により本体部２０１が梱包された構成を備える。
【００２１】
本体部２０１は、設定部２４０と、主部２６０と、電源２７０とを備える。
【００２２】
電源２７０は、被設定装置２００がユーザ等に届けられ、ユーザ等により梱包部材８０１が除去され、本体部２０１の前記起動が行われる際及び前記起動以降に、本体部２０１の主部２６０及び設定情報反映部２５０に対して、電力を供給する。電源２７０は、例えば図示しない外部電源に接続されることにより、前記供給を行う。前記供給は、図示を省略する電力供給経路により行われる。当該供給は、図２に表すように、本体部２０１が梱包部材８０１により梱包された状態では行われない。
【００２３】
設定部２４０は、図１に表す設定装置１００により、被設定装置２００が梱包部材８０１により梱包された状態で送付された前記設定情報を格納する部分である。
【００２４】
設定部２４０は、電源２３１と、処理部２０２と、記録部２０３、２０５及び２０８と、比較部２０４及び２０６と、通信部２０７とを備える。
【００２５】
電源２３１は、図示しない電力供給経路により、設定部２４０の各構成に対し電力を供給する。当該供給は、本体部２０１が梱包部材８０１により梱包された状態においても行われる。電源２３１は、例えば、電池である。当該電池の容量は、例えば、被設定装置２００が出荷され、ユーザ等により起動されるまでの期間、前記各構成に対し前記電力の供給を継続できることが想定される容量である。
【００２６】
通信部２０７は、図１に表す設定装置１００から送付された情報を処理部２０２に送付する。通信部２０７は、また、処理部２０２が指示する情報を設定装置１００に送付する。
【００２７】
処理部２０２は、設定装置１００から打診情報が送付された場合に、当該打診情報が、被設定装置２００宛てのものであるかについての判定を行う。処理部２０２は、当該判定を、例えば以下に説明する処理により行う。
【００２８】
以下においては、前記打診情報が、送付機種ＩＤと送付構成情報との組合せである場合について説明する。ここで、前記送付機種ＩＤは、前記打診情報に含まれる機種ＩＤである。当該機種ＩＤは、本体部２０１の機種を表す情報である。同一の機種ＩＤを付与された被設定装置は複数台存在し得る。
【００２９】
また、前記送付構成情報は、前記打診情報に含まれる構成情報である。当該構成情報は、被設定装置２００の主部２６０における、ハードウェア構成及びソフトウェア構成を表す情報である。前記ハードウェア構成は、例えば、主部２６０におけるローカルエリアネットワーク及びＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）コントローラ等に係るものである。また、前記ソフトウェア構成は、例えば、ＯＳ（Ｏｐｅｒａｔｉｎｇ  Ｓｙｓｔｅｍ）やアプリケーション等に係るものである。前記構成情報は、例えば、１と０とのパターンで表されている。
【００３０】
前記打診情報が、前記組合せである場合、処理部２０２は、まず、前記打診情報を比較部２０４に送付する。そして、処理部２０２は、前記打診情報に含まれる機種ＩＤが本体部２０１の機種ＩＤである自機種ＩＤと一致するかについての判定を、比較部２０４に行わせる。
【００３１】
そして、比較部２０４による比較結果が一致する旨である場合に、前記送付構成情報が、自構成情報と一致するかについての判定を比較部２０６に行わせる。ここで、自構成情報は、主部２６０についての前記構成情報である。
【００３２】
処理部２０２は、比較部２０６による比較結果が、前記送付構成情報が前記自構成情報と一致する旨である場合には、設定依頼情報を、通信部２０７に設定装置１００へ送付させる。当該設定依頼情報は、設定装置１００に対し、前述の設定情報の送付を依頼する情報である。
【００３３】
その後、処理部２０２は、設定装置１００から前記設定情報が送付されると、当該設定情報を、記録部２０８に格納させる。その際、処理部２０２は、記録部２０８が当該設定情報を保持している旨を表す格納済み情報を記録部２１３に格納させる。
【００３４】
記録部２０３は、前述の、自機種ＩＤを保持し、比較部２０４に供給する。
【００３５】
記録部２０５は、前記自構成情報を保持し、比較部２０６に供給する。
【００３６】
比較部２０４は、処理部２０２から、前記打診情報に含まれる機種ＩＤの送付があった場合は、その機種ＩＤが前記自機種ＩＤと一致するかについての判定結果を処理部２０２に出力する。比較部２０４は、例えば、比較回路である。
【００３７】
比較部２０６は、処理部２０２から、前記送付構成情報の送付があった場合は、その前記送付構成情報が前記自構成情報と一致するかについての判定結果を処理部２０２に出力する。比較部２０６は、例えば、比較回路である。
【００３８】
記録部２０８は、処理部２０２から送付された設定情報を格納する。当該設定情報は、設定装置１００から送付されたものである。
【００３９】
記録部２１３は、記録部２０８が、設定装置１００から送付された設定情報を保持しているか否かを表す設定有無情報を保持する。
【００４０】
設定情報反映部２５０は、主部２６０の起動が開始される前は、動作しない。設定情報反映部２５０は、利用者等により梱包部材８０１が取り除かれ、主部２６０の起動が行われる際に動作する。
【００４１】
設定情報反映部２５０は、主部２６０の起動が開始されると、記録部２０８が設定情報を保持しているかを、記録部２１３が保持する設定有無情報により判定する。ここで、主部２６０は、起動を開始すると、起動を開始した旨を表す通知情報を、設定情報反映部２５０に送付するものとする。
【００４２】
設定情報反映部２５０は、前記設定有無情報が、記録部２０８が設定情報を保持している旨を表す場合は、前記起動の段階に応じて当該起動の際に必要な設定情報の要素（設定情報要素）を、記録部２０８から読み込み、主部２６０に提供する。
【００４３】
主部２６０は、ユーザ等からの開始情報により、起動を開始する。当該起動は、梱包部材８０１がユーザ等により除去され、電源２７０からの電力が主部２６０及び設定情報反映部に供給され、さらにユーザ等からの入力が主部２６０に行われた場合に開始される。
【００４４】
主部２６０は、処理部２６１と、記録部２６６と、入出力部２７１とを備える。
【００４５】
入出力部２７１は、ユーザ等の外部から入力される情報を処理部２６１に送付する。入出力部２７１は、また、処理部２６１が指示する情報をユーザ等の外部に対して出力する。入出力部２７１は、例えば、ディスプレイ及びキーボード等を備える構成である。
【００４６】
記録部２６６は、処理部２６１や入出力部２７１が行う動作に必要な情報やプログラム（情報等）を予め保持する。当該情報等には、前記起動に必要な、前記設定情報以外の情報が含まれる。
【００４７】
記録部２６６は、また、処理部２６１や入出力部２７１が指示する情報を格納する。
【００４８】
記録部２６６は、また、処理部２６１や入出力部２７１が指示する情報を、処理部２６１や入出力部２７１に送付する。
【００４９】
処理部２６１は、例えば、中央演算処理装置を備える。
【００５０】
処理部２６１は、被設定装置２００がユーザ等に届けられ、梱包部材８０１が取り除かれ、最初に起動する際に、前記設定情報を利用する設定処理を行う。当該設定処理は、コンピュータ名やＩＰアドレスなどのネットワーク設定、管理ネットワークの設定、ＢＩＯＳ設定変更、ソフトウェアライセンス登録、接続プリンタ設定、無線設定などである。
【００５１】
主部２６０は、当該設定後に、一般的なコンピュータが行う通常の動作を行う。
【００５２】
図３は、図１に表す設定装置１００の構成例を表す概念図である。
【００５３】
設定装置１００は、通信部１０１と、処理部１０２と、記録部１０３とを備える。
【００５４】
通信部１０１は、図２に表す被設定装置２００から受信した無線電波に含まれる情報を処理部１０２に送る。通信部１０１は、また、処理部１０２から送られた情報を無線電波に変換し被設定装置２００に送信する。
【００５５】
記録部１０３は、組合せ情報群を保持している。当該組合せ情報は、各被設定装置についての組合せ情報からなる。当該組合せ情報は、各被設定装置を特定するための特定用情報と、その被設定装置についての設定情報とを組み合わせたものである。前記組合せ情報群及び前記設定情報の例は、図４及び図５を参照して後述する。
【００５６】
処理部１０２は、図１に表す被設定装置２００１乃至２００ｐの各々に対し、前述の打診情報を送付する。処理部１０２は、当該打診情報を、記録部１０３が保持する前記組合せ情報から、機種ＩＤと構成情報との組合せを抽出することにより作成する。そして、処理部１０２は、作成した前記打診情報を、通信部１０１に被設定装置２００１乃至２００ｐへ、送信させる。
【００５７】
当該打診情報を受信した図２に表す被設定装置２００は、当該打診情報に含まれる前述の送付機種ＩＤと送付構成情報とが自装置のものと一致する場合は、設定装置１００に向けて、前記設定依頼情報を送付する。
【００５８】
処理部１０２は、当該設定依頼情報の受信を判定すると、当該設定依頼情報に係る打診情報に対応する設定情報を、通信部１０１に、その設定依頼情報の送信元の被設定装置２００へ送付させる。
【００５９】
設定装置１００は、上記以外に、図示しない入出力装置等を備える。
【００６０】
図４は、前述の組合せ情報群の例である組合せ情報群９０１の構成を表す概念図である。
【００６１】
組合せ情報群９０１の各行の表す情報は組合せ情報である。
【００６２】
各組合せ情報は、前記機種ＩＤと、前記構成情報と、前記設定情報とを組み合わせたものである。
【００６３】
また、図４に表す構成情報の各々は、対応する機種ＩＤの被設定装置についての前記構成情報であることが想定されたものである。
【００６４】
また、図４に表す設定情報は、対応する機種ＩＤの被設定装置に格納させることが想定されたものである。
【００６５】
図５は、図４に表す各設定情報の例である設定情報９１１の構成を表す概念図である。
【００６６】
設定情報９１１は、ｎ個の設定情報要素を備える。各設定情報要素には、データ番号が付与されている。
【００６７】
データ番号１の設定情報要素は、図２に表す主部２６０に係るＢＩＯＳ及びＢＭＣの設定に用いられるものである。ここで、ＢＭＣは、Ｂａｓｅｂｏａｒｄ  Ｍａｎａｇｅｍｅｎｔ  Ｃｏｎｔｒｏｌｌｅｒの略である。
【００６８】
データ番号２の設定情報要素は、主部２６０に係るネットワークやログインの設定の用いられるものである。
【００６９】
データ番号３乃至ｎの設定情報要素は、主部２６０を動作させるアプリケーションソフトウェアの設定に関するものである。
［処理フロー例］
図６は、図２に表す被設定装置２００の設定部２４０が備える処理部２０２が行う処理の処理フロー例を表す概念図である。
【００７０】
処理部２０２は、例えば、電源２３１から電力が供給されることにより、図６に表す処理を開始する。
【００７１】
そして、処理部２０２は、Ｓ１０１の処理として、図１に表す設定装置１００から、前述の打診情報を図２に表す通信部２０７が受信したかについての判定を行う。
【００７２】
処理部２０２は、Ｓ１０１の処理による判定結果がｙｅｓの場合は、Ｓ１０２の処理を行う。
【００７３】
一方、処理部２０２は、Ｓ１０１の処理による判定結果がｎｏの場合は、Ｓ１０１の処理を再度行う。
【００７４】
処理部２０２は、Ｓ１０２の処理を行う場合は、同処理として、Ｓ１０１の処理により受信したことを判定した打診情報に含まれる機種ＩＤは前記自機種ＩＤであるかについての判定を行う。
【００７５】
処理部２０２は、Ｓ１０２の処理による判定結果がｙｅｓの場合は、Ｓ１０３の処理を行う。
【００７６】
一方、処理部２０２は、Ｓ１０２の処理による判定結果がｎｏの場合は、Ｓ１１１の処理を行う。
【００７７】
処理部２０２は、Ｓ１０３の処理を行う場合は、同処理として、Ｓ１０１の処理により受信したことを判定した打診情報に含まれる構成情報が前記自構成情報であるかについての判定を行う。
【００７８】
処理部２０２は、Ｓ１０３の処理による判定結果がｙｅｓの場合は、Ｓ１０４の処理を行う。
【００７９】
一方、処理部２０２は、Ｓ１０３の処理による判定結果がｎｏの場合は、Ｓ１０７の処理を行う。
【００８０】
処理部２０２は、Ｓ１０４の処理を行う場合は、同処理として、通信部２０７に設定装置１００へ向けて、前述の設定依頼情報を送信させる。
【００８１】
そして、処理部２０２は、Ｓ１０５の処理として、通信部２０７が設定装置１００から設定情報を受信したかについての判定を行う。
【００８２】
処理部２０２は、Ｓ１０５の処理による判定結果がｙｅｓの場合は、Ｓ１０８の処理を行う。
【００８３】
一方、処理部２０２は、Ｓ１０５の処理による判定結果がｎｏの場合は、Ｓ１０６の処理を行う。
【００８４】
処理部２０２は、Ｓ１０６の処理を行う場合は、同処理として、直近のＳ１０４の処理の終了時から時間Ｔ１が経過したかについての判定を行う。ここで、時間Ｔ１は、直近のＳ１０４の処理の終了時以降においてＳ１０５の処理を繰り返す時間の上限である。
【００８５】
処理部２０２は、Ｓ１０６の処理による判定結果がｙｅｓの場合は、Ｓ１１１の処理を行う。
【００８６】
一方、処理部２０２は、Ｓ１０６の処理による判定結果がｎｏの場合は、Ｓ１０５の処理を再度行う。
【００８７】
処理部２０２は、Ｓ１０７の処理を行う場合は、同処理として、構成不一致情報の設定装置１００への送付を通信部２０７に行わせる。ここで、構成不一致情報は、設定装置１００から送付された打診情報に含まれる構成情報が前記自構成情報と異なることを表す情報である。そして、処理部２０２は、Ｓ１１１の処理を行う。
【００８８】
処理部２０２は、Ｓ１０８の処理を行う場合は、同処理として、Ｓ１０５の処理により受信したことを判定した設定情報を図２に表す記録部２０８に格納させる。
【００８９】
そして、処理部２０２は、Ｓ１０９の処理として、設定情報を記録部２０８が保持していることを表す前記格納済み情報を、図２に表す記録部２１３に格納させる。
【００９０】
そして、処理部２０２は、Ｓ１１０の処理として、設定装置１００から送付された設定情報を格納した旨を表す登録完了情報を当該設定情報と組み合わせた情報を、通信部２０７に設定装置１００へ送信させる。設定装置１００から送付された設定情報を、設定装置１００に送付させる理由は、設定装置１００における、被設定装置での登録完了に係る確認精度を向上させるためである。
【００９１】
そして、処理部２０２は、Ｓ１１１の処理として、図６に表す処理を終了するかについての判定を行う。処理部２０２は、当該判定を、例えば、外部からの終了情報の入力の有無を判定することにより行う。
【００９２】
処理部２０２は、Ｓ１１１の処理による判定結果がｙｅｓの場合は、図６に表す処理を終了する。
【００９３】
一方、処理部２０２は、Ｓ１０６の処理による判定結果がｎｏの場合は、Ｓ１０１の処理を再度行う。
【００９４】
図７は、図３に表す設定装置１００の処理部１０２が行う処理の処理フロー例を表す概念図である。
【００９５】
処理部１０２は、例えば、外部からの開始情報の入力により図７に表す処理を開始する。
【００９６】
そして、処理部１０２は、Ｓ２０１の処理として、各被設定装置に対し構成情報を送付するかについての判定を行う。処理部１０２は、当該判定を、例えば、設定装置１００の作業者等からの指示情報の入力の有無を判定することにより行う。
【００９７】
処理部１０２は、Ｓ２０１の処理による判定結果がｙｅｓの場合は、Ｓ２０２の処理を行う。
【００９８】
一方、処理部１０２は、Ｓ２０１の処理による判定結果がｎｏの場合は、Ｓ２０１の処理を再度行う。
【００９９】
処理部１０２は、Ｓ２０２の処理を行う場合は、同処理として、組合せ情報群に、打診情報として被設定装置２００に送付していない、機種ＩＤと構成情報との組合せ、を含む組合せ情報があるかについての判定を行う。当該組合せ情報群は例えば、図４に表す組合せ情報群９０１である。
【０１００】
処理部１０２は、Ｓ２０２の処理による判定結果がｙｅｓの場合は、Ｓ２０３の処理を行う。
【０１０１】
一方、処理部１０２は、Ｓ２０２の処理による判定結果がｎｏの場合は、図７に表す処理を終了する。
【０１０２】
処理部１０２は、Ｓ２０３の処理を行う場合は、同処理として、打診情報として被設定装置２００にまだ送付していない、機種ＩＤと構成情報の組合せを、一つ特定する。
【０１０３】
そして、処理部１０２は、Ｓ２０４の処理として、Ｓ２０３の処理により特定した組合せを、打診情報として、通信部１０１に各被設定装置へ送信させる。
【０１０４】
そして、処理部１０２は、Ｓ２０５の処理として、通信部１０１が、いずれかの被設定装置から、設定依頼情報を受信したかについての判定を行う。
【０１０５】
処理部１０２は、Ｓ２０５の処理による判定結果がｙｅｓの場合は、Ｓ２０９の処理を行う。
【０１０６】
一方、処理部１０２は、Ｓ２０５の処理による判定結果がｎｏの場合は、Ｓ２０６の処理を行う。
【０１０７】
処理部１０２は、Ｓ２０６の処理を行う場合は、同処理として、通信部１０１が、いずれかの被設定装置から、前述の構成不一致情報を受信したかについての判定を行う。
【０１０８】
処理部１０２は、Ｓ２０６の処理による判定結果がｙｅｓの場合は、Ｓ２０８の処理を行う。
【０１０９】
一方、処理部１０２は、Ｓ２０６の処理による判定結果がｎｏの場合は、Ｓ２０７の処理を行う。
【０１１０】
処理部１０２は、Ｓ２０７の処理を行う場合は、同処理として、Ｓ２０４の処理が終了した時刻から時間Ｔ２が経過したかについての判定を行う。ここで、時間Ｔ２は、Ｓ２０４の処理が終了した時刻からＳ２０５、Ｓ２０６の処理を繰り返す時間の上限である。
【０１１１】
処理部１０２は、Ｓ２０７の処理による判定結果がｙｅｓの場合は、Ｓ２０２の処理を再度行う。
【０１１２】
一方、処理部１０２は、Ｓ２０７の処理による判定結果がｎｏの場合は、Ｓ２０５の処理を再度行う。
【０１１３】
処理部１０２は、Ｓ２０９の処理を行う場合は、同処理として、直近のＳ２０３の処理により特定した機種ＩＤと構成情報との組合せに対応する構成情報を、組合せ情報群から特定する。
【０１１４】
そして、処理部１０２は、Ｓ２１０の処理として、特定した構成情報を、Ｓ２０５の処理により受信したことを判定した設定依頼情報の送信元に対し、Ｓ２０９の処理により特定した設定情報を、通信部１０１に送信させる。
【０１１５】
そして、処理部１０２は、Ｓ２１１の処理として、通信部１０１が、Ｓ２１０の処理により設定情報を送信した被設定装置から、前述の登録完了情報と設定情報との組合せを受信したかについての判定を行う。
【０１１６】
処理部１０２は、Ｓ２１１の処理による判定結果がｙｅｓの場合は、Ｓ２１３の処理を行う。
【０１１７】
一方、処理部１０２は、Ｓ２１１の処理による判定結果がｎｏの場合は、Ｓ２１２の処理を行う。
【０１１８】
処理部１０２は、Ｓ２１２の処理を行う場合は、同処理として、Ｓ２１０の処理が終了してから時間Ｔ３が経過したかについての判定を行う。ここで、時間Ｔ３は、Ｓ２１０の処理が終了してからＳ２１１の処理を繰り返す時間の上限である。
【０１１９】
処理部１０２は、Ｓ２１２の処理による判定結果がｙｅｓの場合は、Ｓ２０２の処理を再度行う。
【０１２０】
一方、処理部１０２は、Ｓ２１２の処理による判定結果がｎｏの場合は、Ｓ２１１の処理を再度行う。
【０１２１】
処理部１０２は、Ｓ２１３の処理を行う場合は、同処理として、Ｓ２１１の処理により受信した設定情報が、Ｓ２１０の処理により送付した設定情報と一致するかについての判定を行う。
【０１２２】
処理部１０２は、Ｓ２１３の処理による判定結果がｙｅｓの場合は、Ｓ２１４の処理を行う。
【０１２３】
一方、処理部１０２は、Ｓ２１３の処理による判定結果がｎｏの場合は、Ｓ２０２の処理を再度行う。
【０１２４】
処理部１０２は、Ｓ２１４の処理を行う場合は、同処理として、直近のＳ２１０の処理により送信した設定情報について、その設定情報の送信先の被設定装置による格納が完了した旨を、記録部１０３に記録させる。
【０１２５】
そして、処理部１０２は、図７に表す処理を終了する。
【０１２６】
図８は、図２に表す設定情報反映部２５０が行う処理の処理フロー例を表す概念図である。当該処理は、図２に表す被設定装置２００の梱包部材８０１が取り除かれ、利用者等により、主部２６０が最初に起動する際に行われるものである。
【０１２７】
設定情報反映部２５０は、例えば、図２に表す主部２６０からの通知情報により、図８に表す処理を開始する。当該通知情報は、例えば、主部２６０において起動が開始された旨を表す情報である。
【０１２８】
そして、設定情報反映部２５０は、Ｓ３０１の処理として、図２に表す記録部２０８に設定情報が格納されているかについての判定を行う。設定情報反映部２５０は、当該判定を、例えば、記録部２１３に記録部２０８に設定情報が格納されていることを表す前記格納済み情報が格納されているかを判定することにより行う。
【０１２９】
設定情報反映部２５０は、Ｓ３０１の処理による判定結果がｙｅｓの場合は、Ｓ３０２の処理を行う。
【０１３０】
設定情報反映部２５０は、Ｓ３０２の処理を行う場合は、同処理として、データ番号ｎに１を代入する。
【０１３１】
そして、設定情報反映部２５０は、Ｓ３０３の処理として、図２に表す主部２６０から、データ番号ｎの設定情報要素の送付指示があったかについての判定を行う。ここで、主部２６０は、最初の起動処理時に、その起動処理の段階に応じて必要な設定情報要素の送付を、設定情報反映部２５０に指示することを前提とする。例えば、記録部２０８が保持する設定情報が図５に表す設定情報９１１である場合、主部２６０は、ＢＩＯＳ及びＢＭＣの設定を行うタイミングで、データ番号１の設定情報要素の送付を、設定情報反映部２５０に指示する。また、主部２６０は、ネットワーク及びログインの設定を行うタイミングで、データ番号２の設定情報要素の送付を、設定情報反映部２５０に指示する。また、主部２６０は、アプリケーションプログラムについての設定を行うタイミングで、データ番号３乃至ｎの設定情報要素の送付を、設定情報反映部２５０に指示する。
【０１３２】
設定情報反映部２５０は、Ｓ３０３の処理による判定結果がｙｅｓの場合は、Ｓ３０４の処理を行う。
【０１３３】
一方、設定情報反映部２５０は、Ｓ３０３の処理による判定結果がｎｏの場合は、Ｓ３０３の処理を再度行う。
【０１３４】
設定情報反映部２５０は、Ｓ３０４の処理を行う場合は、同処理として、データ番号ｎの設定情報要素の図２に表す記録部２０８からの読み込みと、読み込んだ設定情報要素の主部２６０への送付を行う。
【０１３５】
そして、設定情報反映部２５０は、Ｓ３０５の処理として、データ番号ｎの数を一つ増やす。
【０１３６】
そして、設定情報反映部２５０は、Ｓ３０６の処理として、データ番号ｎがデータ番号の上限値Ｎに一致するかについての判定を行う。
【０１３７】
設定情報反映部２５０は、Ｓ３０６の処理による判定結果がｙｅｓの場合は、図８に表す処理を終了する。
【０１３８】
一方、設定情報反映部２５０は、Ｓ３０６の処理による判定結果がｎｏの場合は、Ｓ３０３の処理を再度行う。
［効果］
本実施形態の設定システムにおいて、設定装置は、梱包された状態における、出荷後に最初の起動動作を行う前の被設定装置に対して、起動時に必要な設定情報を格納させる。前記被設定装置の本体部は、その後に開梱された状態で最初の起動動作を行う際に、前記設定情報により起動時に行うべき設定を行う。
【０１３９】
前記設定システムは、梱包された状態で被設定装置における起動時に必要な情報の個別設定を行うことができるので、起動時の個別設定を容易化し得る。
【０１４０】
なお、本実施形態についての以上の説明においては、起動時に必要な設定情報の格納を、梱包された被設定装置に対して行う例を説明した。しかしながら、設定情報の格納は、最初の起動前に行われるものであれば、被設定装置が梱包されたものでなくても構わない。その場合も、被設定装置に係る、電源、入出力装置及び設定場所の手配や、起動処理の手間を省略することが可能なので、起動時の個別設定を容易化し得る効果が得られる。
【０１４１】
図９は、実施形態の設定システムの最小限の構成である設定システム５００ｘの構成を表すブロックである。
【０１４２】
設定システム５００ｘは、設定装置１００ｘと被設定装置２００ｘとを備える。
【０１４３】
設定装置１００ｘは、被設定装置２００ｘに対し、被設定装置２００ｘが最初の起動の際に利用する情報である設定情報を無線により送付する。
【０１４４】
被設定装置２００ｘは、前記最初の起動の前に、設定装置１００ｘから受信した前記設定情報を格納し、前記設定情報により前記最初の起動の際に所定の設定処理を行う。
【０１４５】
設定システム５００ｘにおいては、被設定装置２００ｘへの前記設定情報の格納は、前記最初の起動の前に、前記設定情報が、設定装置１００ｘからの無線により送付されることにより行う。当該格納は前記最初の起動の前に行われるので、当該格納のための、開梱作業や、場所や電源の手配等は必要ない。そのため、設定システム５００ｘは、被設定装置２００ｘにおける起動時の設定を容易化し得る。
【０１４６】
そのため、設定システム５００ｘは、前記構成により、［発明の効果］の項に記載した効果を奏する。
【０１４７】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１４８】
また、前記の実施形態の一部又は全部は、以下の付記のようにも記述され得るが、以下には限られない。
（付記１）
被設定装置に対し、被設定装置が最初の起動の際に利用する情報である設定情報を無線により送付する設定装置と、
前記最初の起動の前に、前記設定装置から受信した前記設定情報を格納し、前記設定情報により前記最初の起動の際に所定の設定処理を行う前記被設定装置と、
を備える、設定システム。
（付記２）
前記格納が、梱包部材により梱包されている前記被設定装置の本体部に行われる、付記１に記載された設定システム。
（付記３）
前記設定装置が、前記送付のための打診情報を無線送信する、付記１又は付記２に記載された設定システム。
（付記４）
前記被設定装置は、前記打診情報を受けて、前記送付を前記設定装置に要請する、付記３に記載された設定システム。
（付記５）
前記被設定装置は、前記打診情報に、所定の確認情報が含まれる場合に、前記要請を行う、付記４に記載された設定システム。
（付記６）
前記確認情報が、前記被設定装置に係る機種を特定する機種識別子を含む、付記５に記載された設定システム。
（付記７）
前記確認情報が、前記被設定装置に係る構成情報を含む、付記５又は付記６に記載された設定システム。
（付記８）
前記構成情報が、前記被設定装置が備えるハードウェア構成に係るハードウェア構成情報を含む、付記７に記載された設定システム。
（付記９）
前記ハードウェア構成には、ローカルエリアネットワーク及びＲｅｄｕｎｄａｎｔ  Ａｒｒａｙｓ  ｏｆ  Ｉｎｅｘｐｅｎｓｉｖｅ  Ｄｉｓｋｓコントローラに係る構成が含まれる、付記８に記載された設定システム。
（付記１０）
前記構成情報が、前記被設定装置が備えるソフトウェア構成に係るソフトウェア構成情報を含む、付記７乃至付記９のうちのいずれか一に記載された設定システム。
（付記１１）
前記ソフトウェア構成には、Ｏｐｅｒａｔｉｎｇ  Ｓｙｓｔｅｍやアプリケーションソフトウェアに係る構成が含まれる、付記１０に記載された設定システム。
（付記１２）
前記被設定装置は、前記格納を行った場合に、前記格納を行ったことを表す格納済み情報を保持し、前記保持が行われている場合に前記設定処理を行う、付記１乃至付記１１のうちのいずれか一に記載された設定システム。
（付記１３）
前記被設定装置は、前記格納を行った場合に、前記格納を行ったことを表す格納完了情報を前記設定装置に送る、付記１乃至付記１２のうちのいずれか一に記載された設定システム。
（付記１４）
前記設定装置は、前記格納完了情報により、前記格納が完了した旨を記憶する、付記１３に記載された設定システム。
（付記１５）
前記被設定装置は、前記格納を行った場合に、前記設定情報を前記設定装置に送る、付記１乃至付記１４のうちのいずれか一に記載された設定システム。
（付記１６）
前記設定装置は、前記設定情報により、前記格納が完了した旨を記憶する、付記１５に記載された設定システム。
（付記１７）
前記設定情報は、Ｂａｓｉｃ  Ｉｎｐｕｔ  Ｏｕｔｐｕｔ  Ｓｙｓｔｅｍに係るものを含む、付記１乃至付記１６のうちのいずれか一に記載された設定システム。
（付記１８）
前記設定情報は、Ｂａｓｅｂｏａｒｄ  Ｍａｎａｇｅｍｅｎｔ  Ｃｏｎｔｒｏｌｌｅｒに係るものを含む、付記１乃至付記１７のうちのいずれか一に記載された設定システム。
（付記１９）
前記設定情報は、Ｏｐｅｒａｔｉｎｇ  Ｓｙｓｔｅｍに係るものを含む、付記１乃至付記１８のうちのいずれか一に記載された設定システム。
（付記２０）
前記設定情報は、アプリケーションソフトウェアに係るものを含む、付記１乃至付記１９のうちのいずれか一に記載された設定システム。
（付記２１）
最初の起動の際に利用する情報であり、前記最初の起動の前に無線により受信した設定情報を格納し、
前記設定情報により前記最初の起動の際に所定の設定処理を行う被設定装置。
（付記２２）
最初の起動の前に無線により受信した設定情報により前記最初の起動の際に所定の設定処理を行う被設定装置に対し、前記設定情報を前記無線により送付する設定装置。
（付記２３）
被設定装置に対し、被設定装置が最初の起動の際に利用する情報である設定情報を無線により送付し、
被設定装置は、前記最初の起動の前に、受信した前記設定情報を格納し、前記設定情報により前記最初の起動の際に所定の設定処理を行う、
設定方法。
【符号の説明】
【０１４９】
１００    設定装置
１０１    通信部
１０２    処理部
１０３    記録部
２００、２００１、２００２、２００ｐ    被設定装置
２０１    本体部
２０２    処理部
２０３、２０５、２０８、２１３    記録部
２０４、２０６    比較部
２３１    電源
２４０    設定部
２５０    設定情報反映部
２６０    主部
２６１    処理部
２６６    記録部
２７０    電源
２７１    入出力部
５００    設定システム
８０１    梱包部材
９０１    組合せ情報群
９１１    設定情報
【図１】
2019133590.tif 000003
【図２】
2019133590.tif 000004
【図３】
2019133590.tif 000005
【図４】
2019133590.tif 000006
【図５】
2019133590.tif 000007
【図６】
2019133590.tif 000008
【図７】
2019133590.tif 000009
【図８】
2019133590.tif 000010
【図９】
2019133590.tif 000011